(57)【要約】【課題】部品の追加無しに、あるいは簡単に装着できる１つの部品の追加を伴って連結が不用意に外れるのを防止できる低コストなものとする。【解決手段】切り離し部１１を有したロック部材１２は、切り離し部１１の弾性的な拡幅とその後の復元を伴い基部２外まわりにその少なくとも半周を超えて着脱できるように装着され、この装着状態で、基部２の連結端側引っ掛かり部１３と操作部７との間で軸線方向に突っ張り操作部の後退操作を阻止して係止ピンを閉じ状態にロックし、かつ、突っ張り部となるロック端側当接部１３が操作部７の係止ピン８からの立ち上がり連結部７ａと左右方向に引っ掛かり合う切り込み部１５ａ、および、基部２の周壁に立ち上がり連結部７ａを後退操作方向にスライドさせるスライド溝１６に入り込んで左右方向に引っ掛かり合う内向き突起１７、の少なくとも一方を備えたことにより、上記の課題を解決する。【選択図】図１
2014147393.tif 000002
【特許請求の範囲】
【請求項１】
基端環に連結された基部およびこの基部から延びたフック部を備えた本体と、基部内でばね付勢されて突出しフック部の先端に圧接してフック部の開放部を閉じる閉じ習性を持ち、ばねに抗し基部まわりにて後退操作する操作部を有している係止ピンと、を備えた動物用の連結具において、
基部と直交するヒンジピンによって起伏基部が枢支されて、ヒンジピンを中心に伏倒し操作部の後退操作を阻止するロック位置と、ロックを解除するロック解除位置との間で起伏できるロックレバーを設けたことをさらなる特徴とする動物用連結具。
【請求項２】
基端環に連結された基部およびこの基部から延びたフック部を備えた本体と、基部内でばね付勢されて突出しフック部の先端に圧接してフック部の開放部を閉じる閉じ習性を持ち、ばねに抗し基部まわりにて後退操作する操作部を有している係止ピンと、を備えた動物用の連結具において、
基部の連結端側に基部と直交するヒンジピンによって起伏基部が枢支されて、ヒンジピンを中心に係止ピンの先端側に伏倒し自由端部となるロック側端部が操作部の後退操作側に係合して後退操作を阻止するロック位置と、ロック位置から起こされてロック側端部が操作部との係合が外れてロックを解除するロック解除位置との間で起伏できるロックレバーを設けたことをさらなる特徴とする動物用連結具。
【発明の詳細な説明】
【技術分野】
【０００１】
この発明は、主として犬や猫などの動物の首輪、胴輪、係留具などに引き紐や係留紐を連結するのに用いられる動物用連結具に関し、主として首輪、胴輪、係留具に設けられたリングに着脱自在に連結して用いられる。
【背景技術】
【０００２】
このような連結具は用途を問わず一般にナス環と呼ばれるものに属するが、動物用連結具は、特に、図１４〜図１６に示すように、基端環ａに連結された基部ｂ１およびこの基部ｂ１から延びたフック部ｂ２を備えた本体ｂと、基部ｂ１内でばね付勢されて突出しフック部ｂ２の先端ｂ３に圧接してフック部ｂ２の開放部ｂ４を閉じる閉じ習性を持ち、基部ｂ１の側方に後退操作部ｃ１が突出している係止ピンｃとを備えた基本構成を有している。このような動物用連結具ｋは、基端環ａを引き紐の先端や図１６に示す係留紐ｊの両端に連結して用いられる。係留紐ｊなどに連結された動物用連結具ｋは、係止ピンｃを後退操作して開放部ｂ４を開いた状態で、図１６に示す動物に装着した首輪ｄや地中にアンカー部を打ち込むなどした係留具ｆに設けられている連結環ｇ、ｈに引っ掛けた後、係止ピンｃを後退操作から解放することで開放部ｂ４を閉じ連結される。
【０００３】
基端環ａは通常本体ｂの基部ｂ１に回転自在に連結されて、連結部に自由度を与えている。しかし、図１４に示すように、フック部ｂ２と連結環ｇ、ｈとの連結部との間にそのような回転自在な自由度はなく、連結環ｇ、ｈ、特に首輪ｄに設けられた連結環ｇも首輪ｄに対し回転自在な自由度はない。これらの連結不自由や、動物の急な動きの変化などが原因して、動物用連結具ｋと連結環ｇなどとの連結部に拗れが発生し、この拗れ状態で動物用連結具ｋの係止ピンｄの後退操作部ｃ１に後退操作側への引っ掛かり力、押動力が不用意に働いて、図１５に示すようにフック部ｂ２の開放部ｂ４が開かれフック部ｂ２と連結環ｇなどとの連結が外れてしまうことがときとして生じる。ここで、図１５は連結環ｇがフック部ｂ２と首輪ｄのバックルｄ１との間で拗れて自由を失った状態で、張力が加わっているフック部ｂ２の係止ピンｃの後退操作部ｃ１を後退操作側に押動力を及ぼしフック部ｄ２の開放部ｄ４を開いてしまった状態を示している。
【０００４】
このような事態に対応するのに本出願人は、連結環ｇとフック部ｄ２との間に中間リングを連結して連結自由度を高める提案を既にしている（特許文献１参照。）。また、動物用連結具自体の構造を改良する技術も既に知られている（例えば、特許文献２、３参照。）。特許文献２、３に開示の技術は、連結環ｇが拗れても動物用連結具ｋの係止ピンｄの後退操作部ｃ１に後退操作方向に引っ掛かったり、押動力を及ぼさないようにフック部ｄ２および係止ピンｃの形状や設置位置を改良している。
【先行技術文献】
【特許文献】
【０００５】
【特許文献１】特開２００６−１４１２０５号公報
【特許文献２】特開２００８−９９６３０号公報
【特許文献３】特開２００８−９９６３１号公報
【発明の概要】
【発明が解決しようとする課題】
【０００６】
しかし、特許文献１が開示する技術では、追加部品が連結リング１つであるが、それを両側の連結部と連結する２つの作業が必要なために、コスト上昇の原因になる。また、特許文献２、３が開示する技術では、成形や組み立てが困難な特殊製品となって高コストになる。
【０００７】
本発明は、このような問題点に鑑みてなされたもので、簡単に装着できてしかも不用意に外れにくい１つの部品の追加を伴って連結が不用意に外れるのを防止できる低コストな動物用連結具を提供することを課題とするものである。
【課題を解決するための手段】
【０００８】
上記の目的を達成するために、本発明の動物用連結具は、基端環に連結された基部およびこの基部から延びたフック部を備えた本体と、基部内でばね付勢されて突出しフック部の先端に圧接してフック部の開放部を閉じる閉じ習性を持ち、ばねに抗し基部まわりにて後退操作する操作部を有している係止ピンと、を備えた動物用の連結具において、基部の連結端側に基部と直交するヒンジピンによって起伏基部が枢支されて、ヒンジピンを中心に係止ピンの先端側に伏倒し自由端部となるロック側端部が操作部の後退操作側に係合して後退操作を阻止するロック位置と、ロック位置から起こされてロック側端部が操作部との係合が外れてロックを解除するロック解除位置との間で起伏できるロックレバーを設けたことをさらなる特徴としている。
【０００９】
このような構成では、本体と、係止ピンとを備えた通常の形態の動物用連結具において、ロックレバーを枢支するだけの改良により、ロックレバーの、ヒンジピンを中心とした基部に対するロック位置への伏倒にて、ロック側端部が操作部の後退操作側に係合し操作部の後退操作を阻止するので、係止ピンを閉じ位置にロックすることができ、ロック解除位置にて、ロック側端部の操作部との係合が外れるので、操作部はフリーとなり係止ピンのロックを解除することができる。ここで、ロックレバーのロック位置はばねの付勢によって保持するのが好適となり、連結具の連結相手との拗れによりロックレバーが側方や斜めからの引っ掛かり力を受けてもヒンジピンによる枢支力にて対向できるし、正面側からの引っ掛かり力や分力は操作部との係合側になる確率が高く、ロックは解除され難い。
【発明の効果】
【００１０】
本発明の、さらなる特徴の動物用連結具によれば、通常の形態の動物用連結具において、ロックレバーを基部に枢支するだけの簡単かつ安価な改良により、ロックレバーのロック位置への伏倒にて操作部の後退操作側に係合して枢支部との間で突っ張り、操作部を介し係止ピンを閉じ位置にロックし、ロック解除位置にてロック側端部の操作部との係合が外れて係止ピンのロックを解除することができるので使用しやすい。また、連結具の連結相手との拗れによりロックレバーが側方や斜めからの引っ掛かり力を受けてもヒンジピンによる枢支力にて対向できるし、正面側からの引っ掛かり力や分力はロックレバーの操作部への係合側になる確率が高く、ロックは解除され難いので連結の安全性が高まる。
【図面の簡単な説明】
【００１１】
【図１】本発明の実施の形態にかかる動物用連結具の第１の具体例を、ロック部材不装着のロック解除状態からロック部材を装着して行く過程を含んで装着後のロック状態まで（ａ）〜（ｄ）に示す斜視図、ロック部材単体で（ｅ）に示す正面図、背面図、側面図、上面図、ロック部材の長さを短く調整する手順にて（ｆ）に示す斜視図である。
【図２】本発明の実施の形態にかかる動物用連結具の第２の具体例を、ロック部材を装着したことによるロック状態（ａ）で示す斜視図、正面図、ロック部材単体で（ｂ）に示す正面図、側面図、未装着状態、装着状態の平面図である。
【図３】本発明の実施の形態にかかる動物用連結具の第３の具体例を、ロック部材を装着したことによるロック状態で（ａ）に示す斜視図、装着されたロック部材が着脱できる状態で示す正面図、ロック部材単体で（ｂ）に示す正面図、平面図である。
【図４】本発明の実施の形態にかかる動物用連結具の第４の具体例を、ロック部材を装着したことによるロック状態（ａ）で示す斜視図、正面図、ロック部材単体で（ｂ）に示す正面図、側面図、未装着状態、装着状態の２つを個別に示す平面図である。
【図５】本発明の実施の形態にかかる動物用連結具の第５の具体例を、ロック部材を装着したことによるロック状態（ａ）で示す側面図、正面図、ロック部材単体で（ｂ）に示す斜視図である。
【図６】本発明の実施の形態にかかる動物用連結具の第６の具体例を、ロック解除状態で（ａ）に示す側面図、正面図、ロック状態で（ｂ）に示す正面図、ロック解除状態で（ｃ）に示す側面図および未装着なロック部材の斜視図である。
【図７】本発明の実施の形態にかかる動物用連結具の第７の具体例を、ロック解除状態で（ａ）に示す正面図、側面図、ロック状態で（ｂ）に示す正面図、側面図、ロック部材単体を未装着状態で（ｃ）に示す斜視図である。
【図８】本発明の実施の形態にかかる動物用連結具の第８の具体例を、ロック部材単体で示す斜視図である。
【図９】本発明の実施の形態にかかる動物用連結具の第９の具体例を、ロック状態で（ａ）に示す正面図、側面図、ロック解除状態で（ｂ）に示す側面図である。
【図１０】本発明の実施の形態にかかる動物用連結具の第１０の具体例を、ロック解除状態で（ａ）に示す側面図、正面図、ロック状態で（ｂ）に示す側面図である。
【図１１】本発明の実施の形態にかかる動物用連結具の第１１の具体例を、ロック解除状態で（ａ）に示す側面図、正面図、ロック状態で（ｂ）に示す側面図である。
【図１２】本発明の実施の形態にかかる動物用連結具の第１２の具体例を、ロック解除状態で（ａ）に示す斜視図、正面図、ロック状態で（ｂ）に示す側面図、未装着のロックカバーを（ｃ）に示す斜視図である。
【図１３】本発明の実施の形態にかかる動物用連結具の第１３の具体例を、ロック解除状態で（ａ）に示す斜視図、正面図、ロック状態で（ｂ）に示す側面図、ロック部材単体で（ｃ）に示す正面図、側面図、未装着状態、装着状態の２つを個別に示す平面図、展開図である。
【図１４】従来の動物用連結具によりリードと首輪との連結例を示す斜視図である。
【図１５】図１５の例の連結状態での連結具が連結部の拗れにより開き状態になった状態を示す斜視図である。
【図１６】従来の動物用連結具を係留に用いた連結例を示す斜視図である。
【発明を実施するための形態】
【００１２】
以下、本発明の実施の形態に係る動物用連結具の幾つかの例につき図面に基づいて説明し、本発明の理解に供する。なお、以下の説明は本発明の具体例であって、特許請求の範囲の記載を限定するものではない。
【００１３】
図１に示す第１の例の連結具１０１、図２に示す第２の例の連結具１０２、図３に示す例の連結具１０３、図４に示す例の連結具１０４、図５に示す例の連結具１０５、図６に示す例の連結具１０６、図７に示す第７の例の連結具１０７、図９に示す第９の例の連結具１０９、図１０に示す例の連結具１１０、図１１に示す例の連結具１１１、図１２に示す例の連結具１１２、図１３に示す例の連結具１１３は、いずれも、金属製の基端環１に連結された基部２およびこの基部２から延びたフック部３を備えた金属製の本体４と、基部２内で図４（ａ）で代表して示すばね５で付勢されて突出しフック部３の先端３ａに圧接してフック部３の開放部６を閉じる閉じ習性を持ち、ばね５に抗し基部ま２わりにて後退操作する操作部７を有している金属製の係止ピン８と、を備えている。これにより、連結具１０１〜１１２のそれぞれは、操作部７によって係止ピン８を図１、図２（ａ）、図３（ａ）、図４（ａ）、図５（ａ）、図６（ｂ）、図７（ｂ）、図９（ａ）、図１０、図１１、図１２、図１３（ａ）に示す閉じ位置から後退操作させることで、フック部３の開放部６を図６（ａ）、図７（ｂ）、図９（ｂ）、図１３（ｂ）で代表して示すように開くことができ、連結相手に対して着脱できる状態にすることができる。操作部７を後退操作から解放すると係止ピン８はばね５によって閉じ位置に復帰させられて、フック部３の先端３ａに当接するので、フック部３の解放部を閉じ、連結時には連結状態を維持する状態になる。
【００１４】
しかし、連結具１０１〜１１２を用いた犬など動物の引き連れや係留において、動物が驚いた場合の異常動作などで連結部に拗れが生じると、操作部７に不用意な後退操作力が働き、フック部３の開放部６が開いて連結が外れてしまうことが稀にある。
【００１５】
これに対応するのに、図１〜図３に示す連結具１０１〜１０３は、周方向の一部を左右に切り離した切り離し部１１を有したロック部材１２を備えている。これらロック部材１２は、切り離し部１１の左右への弾性的な拡幅とその後の復元を伴い基部２の外まわりにその少なくとも半周を超えて着脱できるように、図１（ａ）〜（ｄ）で代表して示すような手順の手作業で装着される。この場合の切り開き部１１の左右への弾性的な拡幅は、切り開き部１１をほぼ円形な断面の基部２に軸直角方向に押し付けていくことで行える。それには、切り離し部１１は基部２への押し付け時に基部２の周方向の湾曲によって押し開き分力が得られるだけの開口幅を持つことが必要である。しかし、これに限られることは無く、切り離し部１１の開放幅を小さく、場合によっては無くすことで、基部からの不用意な脱落を防止することもでき、装着時は切り開き部１１を基部２による押し開き分力が得られるまで手指や付帯工具によって拡幅した状態として、装着すればよい。
【００１６】
ロック部材１２は、前記装着状態で、基部２の基端環１との連結端側引っ掛かり部１３と操作部７との間で軸線方向に突っ張り、操作部７の後退操作を阻止して係止ピン８を閉じ状態にロックするための、連結端側引っ掛かり部１３と操作部７の係止ピン８からの立ち上がり連結部７ａとに当接する尾端側当接部１４およびロック端側当接部１５を有し、かつ、ロック端側当接部１５が立ち上がり連結部７ａと左右方向に引っ掛かり合う切り込み１５ａ、および、基部２の周壁に立ち上がり連結部７ａを後退操作方向にスライドさせるスライド溝１６に入り込んで左右方向に引っ掛かり合う内向き突起１７、の少なくとも一方を備えたものとしている。
【００１７】
これにより、連結具１０１〜１０３は、本体４と、係止ピン８とを備えた通常の形態において、切り離し部１１を有したロック部材１２を、切り離し部１１の左右への弾性的な拡幅とその後の復元を伴いロック端側当接部１５を操作部７の裏側に図１（ｂ）で代表して示すように潜らせがなら基部２外まわりに図１（ｄ）に示すように着脱できるように装着することができる。装着状態としたロック部材１２は、その尾端側当接部１４とロック端側当接部１５とが連結端側引っ掛り部１３と操作部７の立ち上がり連結部７ａとに当接し合ってそれらの間で突っ張り操作部７の後退操作を阻止するので、係止ピン８を閉じ位置にロックすることができる。また、ロック部材１２は、基部２外まわりへの半周を超えた装着状態と、ロック端側当接部１５が操作部７の裏側への潜りとで、自然には脱落し難く、かつフック部３側からの連結具１０１〜１０３の連結相手との拗れによる外力から操作部７によって保護される上に、先端部の切込み部１５ａが操作部７の立ち上がり部７ａとの左右方向への引っ掛かり合い、および、内向き突起１７が基部２周壁のスライド溝１６に入り込んでの左右方向に引っ掛かり合い、の少なくとも一方によって基部２まわりに回り止めされるので、ロック位置から位置ずれしないし、基部２から取り外してロックを解除するには、半周を超えた嵌り合いをロック端側当接部１５の操作部７裏側への潜りから抜き出しながら解除する必要があるので、意図的にはできても、不用意には取り外され難い。また、内向き突起１７を採用すると、スライド溝１６の奥部を内向き突起１７との基部の連結端側引っかかり部１３としてロック部材１２に突っ張り作用を営ませられる。この場合、内向き突起１７のスライド溝１６奥部との当接端が尾端側当接部１４となる。もっとも、基部の連結端引っ掛かり部１３は基部の連結端鍔部２ａとすることもできる。この場合連ロック部材１２の結端鍔部２ａと当接する尾端が尾端側当接部１４となる。
【００１８】
したがって、周方向の一部の切り離し部１１を弾性的な拡幅と復元を伴い基部２外まわりにロック部材１２を着脱できるように装着する簡単かつ安価な構造で、ロック部材１２を基部２の連結端側引っ掛り部１３と操作部７の立ち上がり連結部７ａとの間で突っ張らせて、操作部７を介し係止ピン８を閉じ位置にロックし、連結相手との連結が不用意に外れにくくすることができ、ロック部材１２を切り離し部１１の弾性的な拡幅を伴い基部２から取り外すだけでロックを解除し、連結相手との連結を解除することができる。特に、ロック部材１２はそのロック端側当接部１５が操作部７裏側に潜って突っ張り位置に保持されて自然には脱落し難く、かつフック部３側からの連結相手との拗れによる外力から操作部７によって保護される上に、操作部７の立ち上がり部７ａとの引っ掛かり合い、および、基部２の周壁のスライド溝１６との引っ掛かり合い、の少なくとも一方によってロック位置に回り止めされるので不用意には取り外され難く連結の安全性の高いものとなる。また、人為的には、ロック部材１２を操作部７の裏側からの抜き出しを伴い、尾端側部分を優先した基部２からの軸直角方向への取り外し操作で、比較的簡単な一連の動作で取り外しロックを解除することができ、使用しやすい。
【００１９】
なお、ロック部材１２のロック端側当接部１５の切り込み１５ａは、操作部７の立ち上がり部７ａに係脱できるよう弾性的に係合するようにてあり、ロック端側当接部１５が操作部７裏側からの抜け出しにくくするので、これによっても連結の安全性を高められる。また、ロック部材１２は材質的には、切り離し部１１の弾性的な拡幅、復元ができればよく、金属や樹脂製とすることができる。しかし、着脱の容易さからは滑り無く親指と人差し指とで滑り無く装着し、また取り外すには適度な肉厚のすべり防止のための基部２まわりでの膨らみ形状を持つのが好適で、図１の連結具１０１は特に樹脂製とするのが適している。さらに、内向き突起１７を尾端側当接部１４として利用するのに、基部２のサイズやスライド溝１６の奥部位置に応じて軸線方向に長さ調節するための図１（ｅ）（ｇ）に示すような切除用の切り込み１７ａを形成して、切除しやすくしている。また、ロック部材１２自体は、図１（ｅ）（ｆ）に示すような切込み１２ａを入れておき、切込み１２ａに沿って図１（ａ）に示す鋏２６により切除して図１（ｆ）から（ｇ）に示すように短く長さ調節できるようにしている。これらには、ロック部材１２は樹脂製が特に好適となる。
【００２０】
図２に示す連結具１０２は、ロック部材１２は、図２（ｂ）に示すように、切り離し部１１の一縁１１ａ側から延びて切り離し部の他縁１１ｂ側に跨って、あるいは図３に示す連結具１０３のロック部材１２のように巻き付けて、ロック部材１２の外面に重なり状態とされる連結バンド２１を有し、この重なり状態の連結バンド２１とロック部材１２とを着脱できるように係合止着する係脱具２２を設けたものとしてある。これにより、ロック部材１２を基部２に軸直角方向からロックした図３（ａ）正面図で代表して示すように弾性的に嵌め合わせて係止ピン８を閉じ状態に後、切り離し部１１の一縁１１ａから延びる連結バンド２１を他縁１１ｂ側に跨らせるか、巻き付けるか、するようにしてロック部材１２の外面に相互間の係脱具２２の係合止着を伴い図２（ａ）、図３（ａ）の斜視図に示すように重ならせると、連結バンド２１がロック部材１２の切り離し部１１を連結して閉じるので、切り離し部１１の左右への拡幅を阻止することができる。従って、ロック部材１２による係止ピン８の閉じ位置へのロックが不用意に解かれるのをより確実に回避するので、連結の安全性が確保できる。よって、切り離し部１１の開放幅を大きくしてロック部材１２の基部２への着脱を容易にしても連結の安全性は低下しない利点がある。係脱具２２としては、図示例のように穴と突起の嵌め合い構造でもよいが、ホック類、摺動方向の接続力が高い面ファスナ、穴や突起とそれに引っ掛けるフックの組み合わせなどその他の引っ掛け具を採用することができる。
【００２１】
図４に示す例の連結具１０４は、ロック部材１２が、切り離し部１１、尾端側当接部１４、およびロック端側当接部１５を有した本体２３と、この本体２３の外周に周方向に移動できるように嵌り合い、かつ、本体２３の切り離し部１１に周方向位置を一致させて開放するように左右に切り離した開放用切り離し部２５を周方向一部に有し、開放切り離し部２５を本体２３の切り離し部１１から周方向に移動させて本体２３の切り離し部１１を閉じる開閉部材２５とを備えたものとしている。これにより、本体２３の切り離し部１１と開閉部材２４の開放用切り離し部２５を周方向に一致させて本体２３の切り離し部１１を開放した状態のロック部材１２を、切り離し部１１および開放用切り離し部２５双方を弾性的に拡幅して後の復元を伴い、基部２に軸直角方向から弾性的に嵌め合わせて係止ピン８を閉じ状態にロックした状態で、本体２３と開閉部材２４との周方向の相対移動により、本体２３の切り離し部１１から開放用切り離し部２５を周方向に外すことで、本体２３の切り離し部１１を左右から包み持つ状態で閉じるので、連結具１０４の連結相手との拗れによっても基部２が本体２３の切り離し部１１を左右に押し開くのを阻止しやすくなる。従って、開閉部材２５の周方向操作だけで、切り離し部１１を開閉でき、図２、図３に示す連結具１０２、１０３の係脱具２２の係脱を伴う連結バンド２１による連結、連結解除の場合に比し、使用しやすく連結の安全性を高められる。
【００２２】
図５、図６、図７に示す連結具１０５〜１０７は、ロック部材１２が、切り離し部１１の左右への弾性的な拡幅とその後の復元を伴い基部２の操作部７が後退操作される側、つまり連結端側の外まわりに周方向に移動できるように嵌め合わされるようにしている。従って内向き突起１７がスライド溝１６に入り込む構造は採用できない。このロック部材１２は、図５（ａ）の側面図および正面図、図６（ｂ）、図７（ｂ）に示す周方向のロック位置で、基部の連結端側鍔部２ａと操作部７との間で軸線方向に突っ張り操作部７の後退操作を阻止して係止ピン８を閉じ位置にロックするための、連結端側鍔部２ａに当接する尾端側当接部１４と、操作部７の立ち上がり連結部７ａに周方向の一部で当接するロック端側当接部１５と、を有し、周方向のロック位置からこれを外れる非ロック位置への移動によりロック端側当接部１５が立ち上がり連結部７ａとの当接位置から図６（ｂ）の側面図、正面図、図７（ｂ）の正面図、側面図で代表して示すように外れ係止ピン８のロックを解除するようにしている。
【００２３】
これにより、切り離し部を１１有したロック部材１２を、切り離し部１１の左右への弾性的な拡幅とその後の復元を伴い基部２外まわりに着脱できるように図５（ａ）、図６（ａ）（ｂ）、図７（ａ）（ｂ）に示すように装着することができ、この装着状態でロック部材１２は基部２まわりで周方向に移動できる。この装着状態で、ロック部材１２を周方向のロック位置に移動させると、ロック端側当接部１５が周方向一部にあるだけでも、立ち上がり連結部７ａと軸線方向に対向するので、ロック部材は１２、尾端側当接部１４とロック端側当接部１５とを基部２の連結端側鍔部２ａと操作部７の立ち上がり連結部７ａとに当接してそれら間で突っ張り操作部７の後退操作を阻止して係止ピン８を閉じ位置にロックすることができる。また、ロック部材１２をロック位置外の非ロック域へ周方向に移動させるとロック端側当接部１５が操作部７の立ち上がり連結部７ａに対向しなくなり、ロック部材１２の前記突っ張りによる係止ピン８のロックを、ロック部材１２の周方向の移動だけで、従って、ロック部材１２を取り外すことなく、解除することができ、使用しやすくなる。
【００２４】
さらに、ロック部材１２は周方向に移動させるだけで薄肉の部材としてよく、連結具の連結相手との拗れによって周方向に移動させる引っ掛かりを受け難いので連結の安全性が高まる。また、ロック部材１２は着脱の必要がないので、基部２への装着後は切り離し部１１を復元不能に連結して不用意な脱落を無くすことができる。このような連結は切り離し部１１の開放幅が小さいときは、材質に応じ一般の金属間溶接や樹脂の超音波溶接によって、あるいは図２、図３の例の連結バンドとグロメットなどにて行える。
【００２５】
図５、図６に示す連結具１０５、１０６では、ロック部材１２が、基部２の連結端側鍔部２ａがなす連結端側引っ掛り部１３と操作部７の立ち上がり基部７ａとに当接してそれらの間で突っ張るための、筒状の尾端側当接部１４と、この尾端側当接部１４側からその周方向一部で舌片状に延びたロック端側当接部片１５ｂと、を備えたものとしている。これにより、ロック端側当接部片１５ｂは、尾端側当接部１４からそれよりも狭い幅の周方向一部から延びる必要最小限幅のものとして、係止ピン８を閉じ位置にロックすることができ、基部２まわりでの嵩が低くなり、嵩低くなる分だけ不用意な外力を受け難くなるので連結の安全性を高められる。
【００２６】
図７に示す連結具１０７は、ロック部材１２が、非ロック位置で切り離し部１１が操作部７の立ち上がり連結部７ａと対向して、操作部７の後退操作を許容して係止ピン８のロックを解除し、切り離し部１１以外の両端全周を尾端側当接部１４およびロック端側当接部１５としたも載るとしている。これにより、ロック部材１２は、切り離し部だけがある単純で安価な寸切形態として、切り離し部１２を除く大きな周方向域で係止ピン８を閉じ位置にロックし、切り離し部１１を操作部７の立ち上がり連結部７ａに軸線方向に対向させてロックを解除することができる。特に、ロック部材１２が周方向に不用意に移動されて切り離し部１１が操作部７の立ち上がり連結部７ａに対向する確率を極めて低くして連結の安全性を一層高められる。
【００２７】
図６、図７に示す連結具１０６、１０７のロック部材１２は、基部２外周面に設けた窪み２６内で周方向に移動できるように設けたものとすることができる。これにより、ロック部材１２が基部２の外周面に突出することによる連結相手との拗れによる引っ掛かりを回避しやすくなるし、周方向に部分的なロック域を持つロック部であるロック端側当接部片１５ｂに対して窪み２６はロック位置、ロック解除位置を周方向の位置決めにもなる。
【００２８】
図７に示す例のロック部材１２の切り離し部１１を、図８に示すように軸線に対して仮想線に示すように傾斜しているか、または、ロック端側当接部１４の側と尾端側当接部１５の側とが周方向に位置ずれし周方向の引き違い連絡部１１ｃで連絡されるか、したものとしている。これにより、切り離し部１１が、軸線に対して傾斜していると、連結具１０７の連結相手との拗れによる基部側からの切り離し部を左右に押し広げる力が働き難くなり、ロック端側当接部１１ａの側と尾端側当接部１１ｂの側とが周方向に位置ずれし周方向の引き違い連絡部１１ｃで連絡されていると、切り開き部１１のロック端側当接部１ａの側と尾端側当接部１１ｂの側とが引き違い連絡路１１ｃで軸線方向の繋がりを、周方向の引き違い代Ｓを有して断たれるので、この周方向の引き違い代Ｓ域で、連結具１０７の連結相手との拗れによる基部２側からの切り離し部１１を左右に押し広げる力が働き難くなる上、基部２が切り離し部１１を左右に押し開いてロック部材１２を脱落させるには、引き違い連絡路１１ｃを引き違い代Ｓが０になるまで押し開いた後、さらに、引き違い連絡路１１ｃの引き違い端１１ｄ、１１ｅ間を基部２が軸直角方向に抜け出る幅まで押し広げる必要があるので、ロック部材１２の不用意な脱落がさらに生じ難い。
【００２９】
図９に示す連結具１０９は、係止ピン８にこれと直交するヒンジピン３１によって起伏基部７ｂが枢支されて、ヒンジピン３１を中心に自由端部７ｃが基部２に対し、その連結端側に傾いた図９（ａ）に示すロック姿勢と、係止ピン８の先端側に傾いた図９（ｂ）に示すロック解除・後退操作位置との間で起伏できる可動な操作部７を備え、この操作部７の自由端部７ｃに前記ロック位置で基部２の凹部などの係止部３２に係合して係止ピン８の後退操作を阻止する突起や自由端縁などの係合部３３を設けたものとしている。これにより、操作部７をヒンジピン３１により係止ピン８に枢支して可動とするだけの簡単かつ安価な改良にて、基部２に対し、自由端７ｃが基部２の基端部側に傾くロック位置と、係止ピン８の先端側に傾くロック解除・後退操作位置とに位置選択することができる。ロック位置では、操作部７の自由端７ｃの係合部３３が基部２の係止部３２に係合することにより、操作部７を後退操作させると、操作部７がヒンジピン３１と係止部３２との間で後退操作させる側に突っ張って操作できないロック状態とすることができる。また、ロック解除・後退操作位置にて、自由端７ｃがロック位置とは反対の傾き側に反転し、自由端の係合部３３が基部２の係止部２２から外れたロック解除状態になるのに併せ、自由端７ｃに与える後退操作力が操作部７の自由端７ｃとヒンジピン３１との間の突っ張り力として係止ピン３１に伝達されるので、係止ピン８を後退操作させられる。ここで、操作部７のロック位置はばねの付勢によって保持するのが好適となり、連結具１０９の連結相手との拗れにより操作７部が側方や斜めからの引っ掛かり力を受けてもヒンジピン３１による枢支力にて対向できるし、正面側からの引っ掛かり力や分力は操作部の係合部の、基部２の係止部３２への係合側になる確率が高く、ロックは解除され難いので連結の安全性が高まる。
【００３０】
図１０に示す連結具１１０は、基部２の連結端側に基部２と直交するヒンジピン３１によって起伏基部３５ａが枢支されて、ヒンジピン３１を中心に図１０（ａ）に示すように係止ピン８の先端側に伏倒し自由端部３５ｂとなるロック側端部３５ｃが操作部７の後退操作側に係合して後退操作を阻止するロック位置と、ロック位置から図１０（ｂ）に示すように起こされてロック側端部３５ｃが操作部７との係合が外れてロックを解除するロック解除位置との間で起伏できるロックレバー３５を設けている。これにより、ロックレバー３５を枢支するだけの改良により、ロックレバー３５の、ヒンジピン３１を中心とした基部２に対するロック位置への伏倒にて、ロック側端部３５ｃが操作部７の後退操作側に係合し操作部７の後退操作を阻止するので、係止ピン８を閉じ位置にロックすることができる。また、ロック解除位置にて、ロック側端部３５ｃの操作部７との係合が外れるので、操作部７はフリーとなり係止ピン８のロックを解除することができる。ここで、ロックレバー３５のロック位置はばねの付勢によって保持するのが好適となり、連結具１１０の連結相手との拗れによりロックレバー３５が側方や斜めからの引っ掛かり力を受けてもヒンジピン３１による枢支力にて対向できるし、正面側からの引っ掛かり力や分力はロックレバー３５の操作部７への係合側になる確率が高く、ロックは解除され難いので連結の安全性が高まる。ロックレバー３５の係止ピン８への枢支は、基部２外での進退域に対して行うこともできるが、図示例では基部２での進退域に枢支しているので、基部２にはヒンジピンをスライドさせるスライド溝１６が必要となっている。
【００３１】
図１１に示す連結具１１１は、基部２の連結端側に基部２と直交するヒンジピン３１によって起伏基部３６ａが枢支されて、図１１（ａ）に示すようにヒンジピンを中心に係止ピンの先端側に伏倒して自由端部３６ｂ側のカバー部３６ｃが、操作部７、または図示例のように操作部７および係止ピンを覆って、後退操作を阻止するロック位置と、図１１（ｂ）に示すようにロック位置から起こされて、操作部７、または操作部７および係止ピン８の覆いを解除してロックを解除するロック解除位置との間で起伏できるロックカバー３６を設けている。これにより、ロックカバー３６を枢支するだけの改良により、ロックカバー３６の、ヒンジピン３１を中心とした基部２に対するロック位置への伏倒にて、ロックカバーが操作部４、または操作部７および係止ピン８を覆って、後退操作力が働かなくするので、係止ピン３１を閉じ位置にロックすることができる。また、ロック解除位置にて、操作部７、または操作部７および係止ピン８の覆いを解いて開放するので、それらが露出し後退操作できるようになるので、係止ピン８のロックを解除することができる。ここで、ロックカバー３６のロック位置はばねの付勢によって保持するのが好適となり、連結具１１１の連結相手との拗れによりロックカバー３６が側方や斜めからの引っ掛かり力を受けてもヒンジピン３１による枢支力にて対向できるし、正面側からの引っ掛かり力や分力はロックカバー３６の操作部や係止ピン８への覆い側になる確率が高く、ロックは解除され難いので連結の安全性が高まる。
【００３２】
図１２に示す連結具１１２は、ロックカバー３６は、ロック位置への伏倒時と、伏倒位置からの起立時とに、係止ピン８に弾性的に係脱する係合部３６ｄを自由端部３６ｂに有したものとした点で、図１１に示す連結具１１１と相違するだけである。これにより、連結具１１１の場合に加え、さらに、ロックレバー３６は、ロック位置にて図１２（ａ）に示すように自由端部３６ｂの係合部３６ｄが係止ピン８に弾性的に係合して、不用意な起立側への外力に対抗するので、一層不用意にロック解除され難くなり連結の安全性がさらに高まる。
【００３３】
図１３に示す連結具１１３は、基部２の連結端側引っ掛かり部１３と操作部７との間で軸線方向に突っ張り操作部７の後退操作を阻止して係止ピン８を閉じ位置にロックするための、基部２の連結端側引っ掛かり部１３との尾端側当接部１４と、操作部７の後退操作側に当接するロック側当接部１５とを有した端部ロック部材１２を備え、このロック部材１１は、尾端側当接部１４を有する筒状の尾端部側部分４１が、基部２の連結端側外まわりに着脱できるか、着脱できないように装着され、ロック側当接部１５が、尾端側部分４１の周方向一部から起伏できるように操作部７側に延びる舌片状のロック片４２のロック側端当接部１５に、操作部７全体に正面側から弾性的に嵌り合う係合穴４２ａをなして形成されたものとしている。
【００３４】
これにより、基部２の連結端側の外まわりに着脱できるか、着脱できないように装着して、基部２の連結端側引っ掛り部１３と操作部７の後退操作側に当接して、相互間で突っ張るロック部材１２を設けるだけの改良にて、操作部７の後退操作をロック部材１２により阻止して係止ピン８を閉じ位置にロックすることができ、係合を外すことでロックを解除することができる。また、ロック部材１２は全体に薄肉のものでよく連結具１１３の連結相手のと拗れによる不用意な外力を受け難いので連結の安全性が高まる。特に、舌片状のロック片４２を尾端側部分４１に対し起伏させるだけでロック、ロック解除ができる上、ロックはロック片４２先端部にロック側当接部１５を有して形成された係合穴４２ａを操作部７の全体に正面から弾性的に係合させることで行われるので、当接し合うだけの場合に比し不用意な外力ではさらに外れにくく、連結の安全性の高いものとなる。
【産業上の利用可能性】
【００３５】
本発明は、一般にナス環と称される動物用の連結具に実用して、連結相手との間に拗れが生じても、係止ピンの操作部に後退操作力が及び難くするか、及んでも係止ピンが後退しないようにして、不用意に連結が外れないようにできる。
【符号の説明】
【００３６】
１  基端環
２  基部
２ａ  連結端鍔部
３  フック部
４  本体
５  ばね
６  開放部
７  操作部
７ａ  立ち上がり基部
８  係止ピン
１１  切り離し部
１１ｃ  引き違い連絡路
１２  ロック部材
１３  連結端部側引っ掛り部
１４  尾端側当接部
１５  ロック端側当接部
１６  スライド溝
１７  内向き突起
２１  連結バンド
２２  係脱具
２３  本体
２４  開閉部材
２５  開放切り離し部
３１  ヒンジピン
３２  係止部
３３  係合部
３５  ロックレバー
３５ｃ  ロック側端部
３６  ロックカバー
３６ｃ  カバー部
４１  尾端部側部分
４２  ロック片
４２ａ  係合穴
【図１】
2014147393.tif 000003
【図２】
2014147393.tif 000004
【図３】
2014147393.tif 000005
【図４】
2014147393.tif 000006
【図５】
2014147393.tif 000007
【図６】
2014147393.tif 000008
【図７】
2014147393.tif 000009
【図８】
2014147393.tif 000010
【図９】
2014147393.tif 000011
【図１０】
2014147393.tif 000012
【図１１】
2014147393.tif 000013
【図１２】
2014147393.tif 000014
【図１３】
2014147393.tif 000015
【図１４】
2014147393.tif 000016
【図１５】
2014147393.tif 000017
【図１６】
2014147393.tif 000018